【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
撮像装置と外部ストロボとを有し、前記撮像装置から前記外部ストロボへの発光指示を発光手段を発光させた光通信で行うカメラシステムであって、
領域毎に電荷の蓄積と読み出しとを順次行う撮像素子と、
前記撮像素子に蓄積された電荷の読み出し開始を指示する読み出し開始信号を前記撮像素子に供給する信号供給手段と、
前記発光手段を制御する発光制御手段と、を有し、
前記発光制御手段は、前記読み出し開始信号が前記撮像素子に供給されてから次の前記読み出し開始信号が前記撮像素子に供給されるまでの間に前記撮像素子の露光が開始されない場合、前記読み出し開始信号が前記撮像素子に供給されてから次の前記読み出し開始信号が前記撮像素子に供給されるまでの間における前記撮像素子の電荷の読み出しが終了してから前記読み出し開始信号が前記撮像素子に供給されるまでの間に前記外部ストロボに対する光通信のための発光を行うように前記発光手段を制御し、前記読み出し開始信号が前記撮像素子に供給されてから次の前記読み出し開始信号が前記撮像素子に供給されるまでの間に前記撮像素子の露光が開始される場合、前記読み出し開始信号が前記撮像素子に供給されてから次の前記読み出し開始信号が前記撮像素子に供給されるまでの間に前記外部ストロボに対する光通信のための発光を行わないように前記発光手段を制御することを特徴とするカメラシステム。
【請求項２】
前記発光制御手段は、前記読み出し開始信号が前記撮像素子に供給されてから次の前記読み出し開始信号が前記撮像素子に供給されるまでの間に前記撮像素子の露光が開始され、当該露光の露光時間が所定時間以上の場合、前記読み出し開始信号が前記撮像素子に供給されてから次の前記読み出し開始信号が前記撮像素子に供給されるまでの間に前記外部ストロボに対する光通信のための発光を行わないように前記発光手段を制御することを特徴とする請求項１に記載のカメラシステム。
【請求項３】
前記発光制御手段は、前記読み出し開始信号が前記撮像素子に供給されてから次の前記読み出し開始信号が前記撮像素子に供給されるまでの間に前記撮像素子の露光が開始され、当該露光の露光時間が前記所定時間未満の場合、前記読み出し開始信号が前記撮像素子に供給されてから次の前記読み出し開始信号が前記撮像素子に供給されるまでの間における前記撮像素子の電荷の読み出しが終了してから前記撮像素子の露光が開始されるまでの間に前記外部ストロボに対する光通信のための発光を行うように前記発光手段を制御することを特徴とする請求項２に記載の撮像装置。
【請求項４】
撮影画面内を複数の測光領域に分割し、前記測光領域ごとに前記撮像素子の出力信号に基づく画像データから測光情報を取得する測光手段と、
前記複数の測光領域のうちいずれかの測光領域で取得された測光情報に基づいて、ストロボ撮影時の本発光量の演算を行う演算手段と、を有し、
前記発光制御手段は、前記読み出し開始信号が前記撮像素子に供給されてから次の前記読み出し開始信号が前記撮像素子に供給されるまでの間に前記撮像素子の露光が開始され、当該露光の露光時間が前記所定時間以上の場合、本発光量の演算に用いる前記測光領域の位置に応じて、前記読み出し開始信号が前記撮像素子に供給されてから次の前記読み出し開始信号が前記撮像素子に供給されるまでの間に前記外部ストロボに対する光通信のための発光を行うか否かを制御することを特徴とする請求項２または３に記載のカメラシステム。
【請求項５】
前記発光制御手段は、前記読み出し開始信号が前記撮像素子に供給されてから次の前記読み出し開始信号が前記撮像素子に供給されるまでの間に前記撮像素子の露光が開始され、当該露光の露光時間が前記所定時間以上であって、本発光量の演算に用いる前記測光領域が撮影画面内の最初に露光が開始される端部周辺または最後に露光が終了する端部周辺に存在しない場合、撮影画面内の前記最初に露光が開始される端部周辺および前記最後に露光が終了する端部周辺の少なくとも一方が露光されているときに前記外部ストロボに対する光通信のための発光を行うように前記発光手段を制御することを特徴とする請求項４に記載のカメラシステム。
【請求項６】
前記発光制御手段は、前記読み出し開始信号が前記撮像素子に供給されてから次の前記読み出し開始信号が前記撮像素子に供給されるまでの間に前記撮像素子の露光が開始され、当該露光の露光時間が前記所定時間以上であって、本発光量の演算に用いる前記測光領域が撮影画面内の前記最初に露光が開始される端部周辺または前記最後に露光が終了する端部周辺に存在する場合、前記読み出し開始信号が前記撮像素子に供給されてから次の前記読み出し開始信号が前記撮像素子に供給されるまでの間に前記外部ストロボに対する光通信のための発光を行わないように前記発光手段を制御することを特徴とする請求項５に記載のカメラシステム。
【請求項７】
前記撮像素子の出力信号に基づく画像データから被写体の顔検出をする顔検出手段を有し、
前記演算手段は、前記顔検出手段により顔が検出された位置に対応する前記測光領域で取得された測光情報に基づいて、ストロボ撮影時の本発光量の演算を行うことを特徴とする請求項４ないし６のいずれか１項に記載のカメラシステム。
【請求項８】
前記外部ストロボは、前記発光手段による光通信を受信すると、前記光通信の直後に行われる露光に合わせて発光することを特徴とする請求項１ないし７のいずれか１項に記載のカメラシステム。
【請求項９】
外部ストロボへの発光指示を発光手段を発光させた光通信で行い、当該外部ストロボを用いてストロボ撮影を行う撮像装置であって、
領域毎に電荷の蓄積と読み出しとを順次行う撮像素子と、
前記撮像素子に蓄積された電荷の読み出し開始を指示する読み出し開始信号を前記撮像素子に供給する信号供給手段と、
前記発光手段を制御する発光制御手段と、を有し、
前記発光制御手段は、前記読み出し開始信号が前記撮像素子に供給されてから次の前記読み出し開始信号が前記撮像素子に供給されるまでの間に前記撮像素子の露光が開始されない場合、前記読み出し開始信号が前記撮像素子に供給されてから次の前記読み出し開始信号が前記撮像素子に供給されるまでの間における前記撮像素子の電荷の読み出しが終了してから前記読み出し開始信号が前記撮像素子に供給されるまでの間に前記外部ストロボに対する光通信のための発光を行うように前記発光手段を制御し、前記読み出し開始信号が前記撮像素子に供給されてから次の前記読み出し開始信号が前記撮像素子に供給されるまでの間に前記撮像素子の露光が開始される場合、前記読み出し開始信号が前記撮像素子に供給されてから次の前記読み出し開始信号が前記撮像素子に供給されるまでの間に前記外部ストロボに対する光通信のための発光を行わないように前記発光手段を制御することを特徴とする撮像装置。
【手続補正２】
【補正対象書類名】明細書
【補正対象項目名】０００７
【補正方法】変更
【補正の内容】
【０００７】
上記の目的を達成するために、本発明のカメラシステムは、撮像装置と外部ストロボとを有し、前記撮像装置から前記外部ストロボへの発光指示を発光手段を発光させた光通信で行うカメラシステムであって、領域毎に電荷の蓄積と読み出しとを順次行う撮像素子と、  前記撮像素子に蓄積された電荷の読み出し開始を指示する読み出し開始信号を前記撮像素子に供給する信号供給手段と、前記発光手段を制御する発光制御手段と、を有し、前記発光制御手段は、前記読み出し開始信号が前記撮像素子に供給されてから次の前記読み出し開始信号が前記撮像素子に供給されるまでの間に前記撮像素子の露光が開始されない場合、前記読み出し開始信号が前記撮像素子に供給されてから次の前記読み出し開始信号が前記撮像素子に供給されるまでの間における前記撮像素子の電荷の読み出しが終了してから前記読み出し開始信号が前記撮像素子に供給されるまでの間に前記外部ストロボに対する光通信のための発光を行うように前記発光手段を制御し、前記読み出し開始信号が前記撮像素子に供給されてから次の前記読み出し開始信号が前記撮像素子に供給されるまでの間に前記撮像素子の露光が開始される場合、前記読み出し開始信号が前記撮像素子に供給されてから次の前記読み出し開始信号が前記撮像素子に供給されるまでの間に前記外部ストロボに対する光通信のための発光を行わないように前記発光手段を制御することを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、本発明の撮像装置は、外部ストロボへの発光指示を発光手段を発光させた光通信で行い、当該外部ストロボを用いてストロボ撮影を行う撮像装置であって、領域毎に電荷の蓄積と読み出しとを順次行う撮像素子と、前記撮像素子に蓄積された電荷の読み出し開始を指示する読み出し開始信号を前記撮像素子に供給する信号供給手段と、前記発光手段を制御する発光制御手段と、を有し、前記発光制御手段は、前記読み出し開始信号が前記撮像素子に供給されてから次の前記読み出し開始信号が前記撮像素子に供給されるまでの間に前記撮像素子の露光が開始されない場合、前記読み出し開始信号が前記撮像素子に供給されてから次の前記読み出し開始信号が前記撮像素子に供給されるまでの間における前記撮像素子の電荷の読み出しが終了してから前記読み出し開始信号が前記撮像素子に供給されるまでの間に前記外部ストロボに対する光通信のための発光を行うように前記発光手段を制御し、前記読み出し開始信号が前記撮像素子に供給されてから次の前記読み出し開始信号が前記撮像素子に供給されるまでの間に前記撮像素子の露光が開始される場合、前記読み出し開始信号が前記撮像素子に供給されてから次の前記読み出し開始信号が前記撮像素子に供給されるまでの間に前記外部ストロボに対する光通信のための発光を行わないように前記発光手段を制御することを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１３
【補正方法】変更
【補正の内容】
【００１３】
（第１の実施の形態）
図１は本発明の第１の実施の形態における撮像装置の構成を示すブロック図である。図１において、１０１は撮像レンズ、１０２は入射光量の制限及びシャッタを兼ねる絞り機構部、１０３は絞り機構部１０２を駆動する絞り駆動部である。１０４は二次元の撮像素子であるＣＭＯＳセンサであり、領域毎に時間をずらしながら電荷の蓄積と読み出しとを順次行う。１０５は撮像素子１０４を駆動する撮像素子駆動部である。１０６は撮像素子１０４からの出力信号に対して相関２重サンプリングやＡＧＣ（Ａｕｔｏｍａｔｉｃ  Ｇａｉｎ  Ｃｏｎｔｒｏｌ）を行う前段信号処理部である。１０７はアナログ信号をデジタル信号化するＡ／Ｄ変換部、１０８はデジタル化された信号を処理するカメラ信号処理部である。
【手続補正７】
【補正対象書類名】明細書
【補正対象項目名】００２０
【補正方法】変更
【補正の内容】
【００２０】
また、ＭＰＵ１２０は絞り機構部１０２を絞り駆動部１０３により撮影用の蓄積時間で閉じ、シャッタ動作をするように設定する。撮像素子１０４にて設定された蓄積時間露光され、この露光期間の開始若しくは終了直前のタイミングに合わせて指示信号がアクセサリーシュー１１７を介して外部ストロボ装置１１８に供給され、外部ストロボ装置１１８の発光部が発光する。
【手続補正８】
【補正対象書類名】明細書
【補正対象項目名】００２１
【補正方法】変更
【補正の内容】
【００２１】
蓄積時間終了時に絞り機構部１０２が閉じることによって遮光される。遮光中に読み出された画像信号は、Ａ／Ｄ変換部１０７でアナログ信号からデジタル信号に変換されてカメラ信号処理部１０８を経て、画像データ圧縮伸長部１０９に供給される。画像データ圧縮伸長部１０９は一度画像メモリ１１０に画像データを記憶させ、順次ＪＰＥＧ等の形式に圧縮して画像データ記録再生部１１１に出力し、これにより半導体メモリ等の記録媒体１１２に前記画像データが記録される。